(57)【要約】【課題】  シリンダ体とピストン体とにより液室と空気室とが画成されるポンプディスペンサにより、ピストン体と連動して上下動が可能なノズル体を上下動させることで、容器内に収納された内容液を液室に吸い上げ、また、外部の空気を空気室に吸い込んで、液室に吸い上げた内容液と空気室に吸い込んだ空気とを泡状に混合してから、この泡をノズル体の吐出口から吐出させるようなポンプ式泡吐出容器について、ポンプディスペンサの空気室での抗菌効果を更に高めることで、衛生性をより一層向上させる。【解決手段】  少なくとも空気室Ａの内面に抗菌剤を付与すると共に、空気室Ａの内面でシリンダ体５とピストン体４との摺接部分を除いた所望の部分（例えば、シリンダ体５の連結部分５３）に、空気室Ａの内面の表面積を増加させるための凹凸部１４を形成する。【選択図】  図１
2006312474.tif 000002
【特許請求の範囲】
【請求項１】
シリンダ体とピストン体とにより液室と空気室とが画成されるポンプディスペンサにより、ピストン体と連動して上下動が可能なノズル体を上下動させることで、容器内に収納された内容液を液室に吸い上げ、また、外部の空気を空気室に吸い込んで、液室に吸い上げた内容液と空気室に吸い込んだ空気とを泡状に混合してから、この泡をノズル体の吐出口から吐出させるようなポンプ式泡吐出容器において、少なくとも空気室の内面に抗菌剤が付与されていると共に、空気室の内面でシリンダ体とピストン体との摺接部分を除いた所望の部分に、空気室の内面の表面積を増加させるための凹凸部が形成されていることを特徴とするポンプ式泡吐出容器。
【請求項２】
少なくともシリンダ体とピストン体とを含むポンプディスペンサの構成部材に対して、部材の樹脂中に抗菌剤が含有されていることを特徴とする請求項１に記載のポンプ式泡吐出容器。
【請求項３】
ポンプディスペンサが、空気用シリンダと液用シリンダとが二重シリンダの状態で一体的に形成されたシリンダ体と、空気用シリンダとの摺接部分を備えた空気用ピストンと液用シリンダとの摺接部分を備えた液用ピストンとが一体的に組み付けられたピストン体とを有するものであって、大径の空気用シリンダと小径の液用シリンダとを連結するシリンダ体の連結部分に複数のリブが形成されていることを特徴とする請求項１又は２に記載のポンプ式泡吐出容器。
【発明の詳細な説明】
【技術分野】
【０００１】
本発明は、ノズル体を上下動させることで、容器内に収納された内容液を、空気と混合させて泡状にしてから、ノズル体の吐出口から吐出させるような、ポンプディスペンサが一体的に設置されたポンプ式泡吐出容器に関し、特に、そのようなポンプ式泡吐出容器において、ノズル体から吐出される泡に雑菌が多く混入するのを抗菌剤によって効果的に防止できるような、衛生性に優れたポンプ式泡吐出容器に関する。
【背景技術】
【０００２】
押し下げ動作と押し下げ動作の解除とによりノズル体を上下動させることで、容器内に収納された内容液を所定量ずつノズル体の吐出口から吐出させるような、ポンプディスペンサが一体的に設置されたポンプ式吐出容器について、容器内に収納された洗剤やハンドソープ等のような液体を、空気と混合させて泡状にしてから吐出させるようなポンプ式泡吐出容器は従来から広く使用されている。一方、容器内に収納された内容液をそのまま吐出するポンプ式吐出容器において、内容液の詰替え時などにポンプディスペンサに付着した雑菌により内容液が悪影響を受けるのを防止するために、ポンプディスペンサを構成する部材（少なくとも吸い上げパイプやノズル部材）に抗菌剤を含有させる、ということが下記の特許文献１により従来公知となっている。
【特許文献１】特開平９−８６５５４号公報
【発明の開示】
【発明が解決しようとする課題】
【０００３】
ところで、容器内に収納された内容液を空気と混合させて泡状にしてから吐出させるようなポンプ式泡吐出容器では、液室からの内容液と空気室からの空気とを混合して泡状にしてからノズル体の吐出口から外部に吐出させているが、そのようなポンプ式泡吐出容器の場合には、ノズル体を上下動させる動作により、外部から空気室に空気を吸い込んで、この空気を内容液と混合させて泡状にしていることから、新たに外部から吸い込んだ空気と共に空気室に雑菌が侵入する可能性が高いものとなっている。
【０００４】
さらに、浴室や洗面所等の水分の多い場所でポンプ式泡吐出容器を使用する場合には、外部から空気室に空気を吸い込む際に、空気と共に水分が侵入することがあり、この水分が空気室に溜まった状態で、空気室に雑菌が侵入すると、空気室の内部で雑菌が増殖することとなって、単にポンプディスペンサを構成する部材に抗菌剤を含有させているだけでは、充分な抗菌効果を得ることができず、ノズル体の吐出口から吐出させる泡の中に多くの雑菌を混入させてしまうような虞がある。
【０００５】
本発明は、上記のような問題の解消を課題とするものであり、具体的には、内容液を空気と混合させて泡状にしてから吐出させるポンプ式泡吐出容器について、ポンプディスペンサの空気室での抗菌効果を更に高めることで、衛生性をより一層向上させることを課題とするものである。
【課題を解決するための手段】
【０００６】
本発明は、上記のような課題を解決するために、シリンダ体とピストン体とにより液室と空気室とが画成されるポンプディスペンサにより、ピストン体と連動して上下動が可能なノズル体を上下動させることで、容器内に収納された内容液を液室に吸い上げ、また、外部の空気を空気室に吸い込んで、液室に吸い上げた内容液と空気室に吸い込んだ空気とを泡状に混合してから、この泡をノズル体の吐出口から吐出させるようなポンプ式泡吐出容器において、少なくとも空気室の内面に抗菌剤が付与されていると共に、空気室の内面でシリンダ体とピストン体との摺接部分を除いた所望の部分に、空気室の内面の表面積を増加させるための凹凸部が形成されていることを特徴とするものである。
【発明の効果】
【０００７】
上記のような本発明のポンプ式泡吐出容器によれば、ポンプディスペンサの空気室に凹凸部が形成されて、抗菌剤が付与されている空気室の内面の表面積が増加されていることから、空気室の内部での抗菌剤による抗菌効果を充分に高めることができる。そのため、外部から空気と共に侵入した水分が空気室に溜まったような場合でも、空気室での充分な抗菌作用により雑菌の増殖を確実に抑制することができて、その結果、ノズル体の吐出口から吐出させる泡の中に多くの雑菌を混入させるようなことなく、衛生的に優れた泡を吐出させることができる。
【発明を実施するための最良の形態】
【０００８】
内容液を空気と混合させて泡状にしてから吐出させるポンプ式泡吐出容器について、ポンプディスペンサの空気室での抗菌効果を更に高めることで、衛生性をより一層向上させるという目的を、最良の形態として以下の実施例に具体的に示すように、シリンダ体とピストン体とにより液室と空気室とが画成されるポンプディスペンサにより、ピストン体と連動して上下動が可能なノズル体を上下動させることで、容器内に収納された内容液を液室に吸い上げ、また、外部の空気を空気室に吸い込んで、液室に吸い上げた内容液と空気室に吸い込んだ空気とを泡状に混合してから、この泡をノズル体の吐出口から吐出させるようなポンプ式泡吐出容器において、少なくとも空気室の内面に抗菌剤を付与すると共に、空気室の内面でシリンダ体とピストン体との摺接部分を除いた所望の部分に、空気室の内面の表面積を増加させるための凹凸部を形成するということで実現した。
【実施例】
【０００９】
本発明の一実施例について以下に説明すると、本実施例のポンプ式泡吐出容器は、シャンプー，ハンドソープ，洗顔料，整髪料，ひげ剃り剤等のような界面活性剤を含有する液体を内容液として容器本体の内部に収容するものであり、容器本体に対して内容液を吐出するためのポンプディスペンサが一体的に設置されているものである。
【００１０】
本実施例のポンプ式泡吐出容器では、図１に示すように（容器本体を除いたポンプディスペンサの部分のみを示す）、容器本体の口部（図示せず）に着脱可能に冠着される二部材からなるキャップ２に対して、ノズル体３とピストン体４とシリンダ体５と導液管６が一体的に付設されていて、ピストン体４とシリンダ体５とによるポンプ機構には、外部の空気を吸い込む空気室Ａと、容器内に収納された液体を吸い上げる液室Ｂとがそれぞれ画成されている。
【００１１】
ポンプディスペンサ１のシリンダ体５は、大径の空気用シリンダ５１と小径の液用シリンダ５２とが連結部分５３を介して一体的に形成された一部材による二重シリンダであり、ピストン体４は、空気用ピストン４１と液用ピストン４２の各部材を一体的に組み付けたものであって、空気用ピストン４１には、空気用シリンダ５１との摺接部分となる大径の筒状シール部４１ａと、ノズル体３を連結するためのステム部４１ｃと、筒状シール部４１ａとステム部４１ｃとを連結する連結部分４１ｂとが一部材として一体的に形成されている。なお、空気用シリンダ５１の上方部分には、容器本体（図示せず）内に空気を供給するための空気孔Ｆが設けられている。
【００１２】
また、液用ピストン４２には、液用シリンダ５２との摺接部分となるシール部分を備えた筒状の上側ストッパー部材７が、液用ピストン４２の下端に嵌入されるように一体的に結合されており、一方、この上側ストッパー部材７と対向するように、液用シリンダ５２には、筒部の上部に栓部に形成され筒部の下部にフランジ部が形成されて筒部に流路が開設された下側ストッパー部材８が、そのフランジ部を液用シリンダ５２の底部付近に嵌合させるように立設されている。
【００１３】
そのようなピストン体４とシリンダ体５とを組み付けることで、空気用ピストン４１と液用ピストン４２とで囲まれたシリンダ体５の内部空間が空気室Ａとなり、液用ピストン４２の内側と液用シリンダ５２の内側とで囲まれた内部空間が液室Ｂになり、液室Ｂの上方で空気用ピストン４１のステム部４１ｃの内側が混合室Ｃになると共に、液用ピストン４２の上部外面と空気用ピストン４１のステム部４１ｃの内面との間に形成される溝状の空間部（空気用ピストン４１のステム部４１ｃの内面に円周方向に間隔をおいて複数形成される各縦凹凸部の間の部分）が、空気室Ａと混合室Ｃとを連通させる空気供給通路Ｄになる。
【００１４】
なお、空気用ピストン４１には、シール部４１ａとステム部４１ｃとを連結する連結部分４１ｂの適所に、外部の空気を空気室Ａに導入するための空気導入孔Ｅが開設されており、液室Ｂの上端には第１逆止弁１１が配設され、液室Ｂの下端には第２逆止弁１２が配設され、空気導入孔Ｅと空気供給通路Ｄとに対して第３逆止弁１３が配設されていて、液用シリンダ５２の下端には、容器本体の内部に収容されている内容液を吸い上げるための導液管６が連結されている。
【００１５】
ピストン体４とシリンダ体５とが組み付けられた状態で、キャップ２に固定されるシリンダ体５に対して、ピストン体４は、空気用ピストン４１のステム部４１ｃが、キャップ２の天板中央部に立設された筒状貫通孔２１に挿通されて案内された状態で、上下方向に移動可能となっている。そして、ピストン体４の空気用ピストン４１のステム部４１ｃの上端部には、吐出口３１を有するノズル体３が一体的に連結されており、ノズル体３の吐出口３１と混合室Ｃとの間の通路には、混合室Ｃで泡立てられた泡を更に均一な大きさの泡にするために、ネット部材（上下にネットを設けた短筒体）等による多孔体１０が配設されている。
【００１６】
また、液用ピストン４２の下端に嵌入された上側ストッパー部材７と、液用シリンダ５２の底部付近に立設された下側ストッパー部材８との間には、圧縮された状態のコイルスプリング９が介装されており、一体的に連結されたノズル体３とピストン体４は、このコイルスプリング９の付勢力により、キャップ２に固定されるシリンダ体５に対して、そのままでは図１に示すような上限位置となるように、常に上方に付勢されている。
【００１７】
なお、本実施例では、ノズル体３には、水平方向に開口した吐出口３１に連通する上下方向の通路が内部に形成された内筒部３２と、この内筒部３２と同心状に、内筒部３２よりも大径の中筒部３３と、中筒部３３よりも大径の外筒部３４とが形成されており、ノズル体３の内筒部３２は、ピストン体４を連結するための筒状のステム部分となっていて、ノズル体３の内筒部３２の下端部には、空気用ピストン４１のステム部４１ｃの上端部が嵌入されている。
【００１８】
ノズル体３の中筒部３３は、コイルスプリング９の付勢力に抗してノズル体３（及びピストン体４）を最下限位置にまで押し下げた状態でロックするためのロック機構となるものであって、ノズル体３の中筒部３３の内面には、キャップ２の筒状貫通孔２１の外面に形成されたネジと螺合するためのネジが形成されており、ノズル体３を押し下げた状態で、ノズル体３の中筒部３３のネジとキャップ２の筒状貫通孔２１のネジとを螺合させることにより、コイルスプリング９の付勢力に抗してノズル体３（及びピストン体４）を最下限位置にロックできるようになっている。
【００１９】
上記のような本実施例のポンプ式泡吐出容器のポンプディスペンサ１の作動状態について以下に説明すると、先ず、ノズル体３（及びピストン体４）が最下限位置にロックされている状態から、キャップ２との螺合を解いてノズル体３のロック状態を解除すると、ノズル体３（及びピストン体４）は、コイルスプリング９の付勢力により、図１に示すような上限位置にまで自動的に上昇する。このようにしてノズル体３が上限位置に位置したときには、第１逆止弁１１と、第２逆止弁１２と、第３逆止弁１３の空気導入孔Ｅの側（弁体の外周側）と、第３逆止弁１３の空気供給路Ｄの側（弁体の内周側）とは、全て閉じた状態となっている。
【００２０】
次いで、コイルスプリング９の付勢力に抗してノズル体３を上限位置から押し下げると、ノズル体３の中筒部３３のネジ下端とキャップ２の筒状貫通孔２１のネジ上端とが当接する位置でノズル体３の押し下げが阻止されて、この位置がポンピングストロークの実質的な下限位置となり、この下限位置と上限位置との間がポンピングのストローク範囲となる。
【００２１】
そのように最初にノズル体３を上限位置から下限位置にまで押し下げることで、シリンダ体５の内部でピストン体４の空気用ピストン４１と液用ピストン４２とが下降して、空気室Ａと液室Ｂの内部が加圧され、それにより、第１逆止弁１１が開き、第２逆止弁１２は閉じた状態を維持し、第３逆止弁１３では、空気導入孔Ｅの側（弁体の外周側）は閉じた状態を維持し、空気供給通路Ｄの側（弁体の内周側）が開いて、空気室Ａと液室Ｂの内部に溜まっていた空気が、混合室Ｃからノズル体３の内側の通路を通って、ノズル体３の吐出口３１から吐出される。そして、ノズル体３が下限位置にまで到達すると、空気室Ａと液室Ｂの内部の加圧が終了し、第１逆止弁１１と、第３逆止弁１３の空気供給通路Ｄの側（弁体の内周側）とが閉じることとなる。
【００２２】
次いで、ノズル体３の最初の押し下げ動作を解除すると、コイルスプリング９の付勢力によりノズル体３（及びピストン体４）が自動的に上昇することにより、シリンダ体５の内部でピストン体４の空気用ピストン４１と液用ピストン４２とが上昇して、空気室Ａと液室Ｂの内部が減圧され、液室Ｂが負圧になることで、第１逆止弁１１が閉じた状態のままで第２逆止弁１２が開いて、液室Ｂの下端入口が開口され、容器内の内容液が導液管６を通って液室Ｂに吸い上げられると共に、空気室Ａが負圧になることで、第３逆止弁１３では、空気供給通路Ｄの側（弁体の内周側）が閉じた状態のままで、空気導入孔Ｅの側（弁体の外周側）が開き、ノズル体３やピストン体４（空気用ピストン４１）のステム部分とキャップ２の筒状貫通孔２１との間の隙間から進入した外部の空気が空気室Ａに供給されて、泡を吐出するための準備状態が完了する。そして、ノズル体３が上限位置に到達すると、第２逆止弁１２と、第３逆止弁１３の空気導入孔Ｅの側（弁体の外周側）とが閉じることとなる。
【００２３】
次いで、コイルスプリング９の付勢力によるノズル体３（及びピストン体４）の上昇が停止した（略上限位置の付近にまで復帰した）状態から、再びノズル体３を押し下げると、ピストン体４と各逆止弁１１，１２，１３は、最初の押し下げ時と同様に作動して、その結果、ピストン体４の下降に連れて空気室Ａと液室Ｂが加圧されることで、空気室Ａの空気が空気供給通路Ｄを通って混合室Ｃに送り込まれると共に、液室Ｂの内容液が混合室Ｃに送り込まれて、両者は混合室Ｃで混合されて泡立たされ、更に多孔体１０を通過してきめ細かく均質な泡に生成されてから、ノズル体３の吐出口３１から吐出されることとなる。
【００２４】
ところで、上記のようにポンプディスペンサ１を作動させるポンプ式泡吐出容器において、少なくとも空気室Ａを画成しているピストン体４とシリンダ体５とを含むポンプディスペンサ１の構成部材に対して抗菌剤が付与されている。
【００２５】
すなわち、本実施例では、具体的には、空気室Ａを画成しているピストン体４とシリンダ体５において、各部材を形成するための樹脂材料（ポリエチレンやポリプロピレンなどの周知の樹脂材料）に対して、無機系抗菌剤である銀ゼオライト，銀リン酸ジルコニウム，銀ハイドロキシアパタイト，銀リン酸塩ガラス，銀リン酸塩セラミック等や、或いは、有機系抗菌剤である１，２−ベンズイソチアゾリン−３−オン，Ｎ−フルオロジクロロメチルチオフタルイミド等を、樹脂材料中に練り込んだり含浸させたりすることで、部材中に抗菌剤を含有させている。
【００２６】
さらに、そのように抗菌剤が付与されているピストン体４とシリンダ体５において、空気室Ａの内面で、ピストン体４とシリンダ体５との摺接部分を除いた所望の部分に、空気室Ａの内面の表面積を増加させるための凹凸部であるリブ１４が形成されている。
【００２７】
すなわち、本実施例では、具体的には、空気用シリンダ５１と液用シリンダ５２とが連結部分５３を介して一体的に形成されているシリンダ体５において、空気用シリンダ５１と液用シリンダ５２とを連結する連結部分５３に、複数本の縦方向のリブ１４が円周方向で間隔を置いて一体的に形成されている。
【００２８】
上記のような本実施例のポンプ式泡吐出容器によれば、ポンプディスペンサ１の空気室Ａにおいて、シリンダ体５の連結部分５３に複数本のリブ１４が形成されて、抗菌剤が付与されている空気室Ａの内面の表面積が増加されていることから、空気室Ａの内部での抗菌剤による抗菌効果を充分に高めることができる。そのため、ノズル体３やピストン体４（空気用ピストン４１）のステム部分とキャップ２の筒状貫通孔２１との間の隙間から外部の空気が空気室Ａに供給される際に、外部から空気と共に水分が侵入して、空気室Ａの内部に水分が溜まったような場合でも、空気室Ａの内部での充分な抗菌作用により雑菌の増殖を確実に抑制することができて、その結果、ノズル体３の吐出口３１から吐出させる泡の中に多くの雑菌を混入させるようなことなく、衛生的に優れた泡を吐出させることができる。また、リブ１４が、水分が溜まる連結部分５３の底面部分にまで形成されているため、空気室Ａに侵入した雑菌を含む水分は、常時抗菌剤が広く付与されている部分と直接に接触することになり、水分中の雑菌が増殖するのを効果的に抑制することができる。
【００２９】
以上、本発明のポンプ式泡吐出容器の一実施例について説明したが、本発明は、上記のような具体的な実施例にのみ限定されるものではなく、例えば、抗菌剤を付与する部材については、空気室を画成しているピストン体やシリンダ体だけに限らず、その他の部材（ノズル体や導液管など）に対しても適宜に抗菌剤を付与しても良いものであり、また、部材に抗菌剤を付与するための具体的な手段については、樹脂材料への練り込みや含浸により部材の樹脂中に抗菌剤を含有させるだけでなく、抗菌剤を含有させた塗料を部材の表面に塗布することで抗菌剤を付与するようにしても良いものであり、また、空気室の内面の表面積を増加させるために凹凸部を形成する個所については、ピストン体とシリンダ体との摺接部分を除いた部分であれば、シリンダ体の連結部分に限らず、ピストン体の空気用ピストンの筒状シール部の裏面（摺接部分とは反対側の面）や空気用ピストンの上面等の他の部分にも形成しても良く、さらに、凹凸部の形状についても、リブに限らず小突起等であっても良い等、適宜設計変更可能なものであることはいうまでもない。
【図面の簡単な説明】
【００３０】
【図１】本発明のポンプ式泡吐出容器の一実施例について、容器本体を除くポンプディスペンサの部分を示す縦断面図。
【符号の説明】
【００３１】
１        ポンプディスペンサ
２        キャップ
３        ノズル体
４        ピストン体
５        シリンダ体
９        コイルスプリング
１０      多孔体
１１      第１逆止弁
１２      第２逆止弁
１３      第３逆止弁
１４      凹凸部
２１      キャップの筒状貫通孔
３１      ノズル体の吐出口
４１      空気用ピストン
４２      液用ピストン
４１ａ    空気用ピストンの筒状シール部
４１ｂ    空気用ピストンの連結部分
４１ｃ    空気用ピストンのステム部
５１      空気用シリンダ
５２      液用シリンダ
５３      シリンダ体の連結部分
Ａ        空気室
Ｂ        液室
Ｃ        混合室
Ｄ        空気供給通路
Ｅ        空気導入孔
Ｆ        空気孔
【図１】
2006312474.tif 000003